(57)【要約】      （修正有）【課題】製造に手間が掛からずコストが安くファッショナブルな印象を与え、従来の紙バッグの代わりとして用いることが出来るような、新規な構造を備えた物品等の収容ケースを提供する。【解決手段】型抜き裁断した１枚のシート状体から、底壁１２が前壁１０と後壁１１とに連続しており且つ側壁１４がのりしろ部または填め込み部により前壁１０と後壁１１とに接続し、更に前フラップ１９を備えた収容ケースとした。更に側壁１１に縦に谷折り線を設け、底壁１２の側フラップ１３が底壁１２に折り重ね得るように山折り線を設け、後壁１１の底壁１２との境界よりも上方に底壁１２に略平行な谷折り線を設けて成るものとした。これにより従来の紙バッグなどと比較して底壁１２を折り込んで接着する手間が掛からず底が抜けるというような心配が少なくなる。【選択図】図１
0003193952.tif 000002
【実用新案登録請求の範囲】
【請求項１】
前壁および後壁と、該前壁と後壁との間の底壁と、該底壁の両側の側フラップと、前記前壁または前記後壁に設けられて他側に固定可能なのりしろ部または填め込み部を備えた側壁と、前記後壁または前記前壁の残りの辺に設けられた前フラップと、から成り、前記底壁の両側の側フラップが前記側壁の内側に納まるように構成されていることを特徴とする、物品等の収容ケース。
【請求項２】
前壁および後壁と、該前壁と後壁との間の底壁と、該底壁の両側の側フラップと、前記前壁または前記後壁に設けられて他側に固定可能なのりしろ部または填め込み部を備えると共に該のりしろ部または填め込み部に略平行な谷折り線が設けられた側壁と、前記後壁または前記前壁の残りの辺に設けられた前フラップと、から成り、前記底壁の両側の側フラップが前記側壁の内側にあって底壁に折り重ね得るように山折り線が設けられていると共に、前記後壁の前記底壁との境界よりも上方に底壁に略平行な谷折り線が設けられていることを特徴とする、物品等の収容ケース。
【請求項３】
前記前フラップを閉じた時に閉じた状態を固定すべく、前記前フラップとこれに対向する部位とが着脱自在と成るような着脱手段が前記前フラップまたは前記対向部位に設けられている、請求項１または請求項２に記載の物品等の収容ケース。
【請求項４】
前記側壁の上部または前記底壁の両側の前記側フラップの上部または前記前フラップの上部に下げ紐などのハンドルが取り付けられている、請求項１または請求項２に記載の物品等の収容ケース。
【請求項５】
前記ハンドルは長さ調節が可能なものである、請求項４に記載の物品等の収容ケース。
【請求項６】
収容ケースの部分または全体が透明素材から構成されている、請求項１または請求項２に記載の物品等の収容ケース。
【考案の詳細な説明】
【技術分野】
【０００１】  この考案は、従来の紙バッグの代わりとして用いることが出来る、製造が容易でコストが安い物品等の収容ケースに関する。
【背景技術】
【０００２】  従来よりデパートなどの販売店に於いて商品を購入した客に紙の買い物袋（紙バッグ）が提供されて来た。このものは袋体の両側部に各々谷折り線とその両側の山折り線とによって縦ガセット部が形成され、袋体の下側部に四方から山折りされ重ね合わされて底ガセット部が形成されたものである。なお袋体にラミネート紙を用いたり、袋体の外側に透明な合成樹脂袋を被せたものなどもある。【０００３】  特開２０１０−１０５２６６号では新聞紙を再利用すべく、見開き状の新聞紙を折り線と直交する方向に二つ折りしたもの二つ、各々の端部で差し込み接着することで、上記の袋体を形成するようにしている。これにより資源の有効利用の要請に応えることが出来ると言う。【０００４】  なお上記何れの場合でも、底ガセット部の重ね合わせを補強するために、袋体の底部に厚紙の補強紙片を置いていることが多い。
【先行技術文献】
【特許文献】
【０００５】
【特許文献１】特開２０１０−１０５２６６号公報
【考案の概要】
【考案が解決しようとする課題】
【０００６】  このような袋体の問題点は、裁断した紙葉から袋体を形成する際に、特に底ガセット部の形成に手間が掛かること、すでに在り来たりで目新しさに欠けることにある。なお従来の紙バッグには蓋がなく、蓋を求めるのであれば箱体であり、箱体と袋体の中間の袋体、すなわち紙バッグでありながら蓋を備えるようなものは存在していなかった。【０００７】  そこでこの考案は、製造に手間が掛からずコストが安く、ファッショナブルな印象を与え、従来の紙バッグの代わりとして用いることが出来るような、新規な構造を備えた物品等の収容ケースを提供することを課題とする。
【課題を解決するための手段】
【０００８】  上記の課題は請求項１の考案によれば、前壁および後壁と、該前壁と後壁との間の底壁と、該底壁の両側の側フラップと、前記前壁または前記後壁に設けられて他側に固定可能なのりしろ部または填め込み部を備えた側壁と、前記後壁または前記前壁の残りの辺に設けられた前フラップと、から成り、前記底壁の両側の側フラップが前記側壁の内側に納まるように構成することにより解決される。【０００９】  型抜き裁断した紙葉から、側壁となる部位を前壁や後壁となる部位にのりしろ部または填め込み部により固定するだけで、この際に底壁の両側の側フラップを側壁の内側に入れるようにするだけで、簡単に収容ケースを作ることが出来る。底壁が前壁と後壁とに連続する点を特徴としており、従来のように底壁を折り込んで接着する手間がなく、また底が抜けるというような心配はない。このため従来のような厚紙の補強紙片を置くことを不要とし得る。ただ製造の途中で底壁と側壁との間に生ずる隙間は、底壁の両側の側フラップを側壁の内側に入れるだけで簡単に塞ぐことが出来るのも特徴である。なお必要であれば更に側フラップを側壁の内側に固定するのも容易である。この辺りの構成が収容ケースをファッショナブルなものに見せている。【００１０】  販売店では紙葉の束として納品されたこの収容ケースを予め組み立てておき、顧客が商品を購入したらこの組み立てられた収容ケースに商品を入れて顧客に渡す。あるいは商品が購入された時点で収容ケースを組み立てるようにすることも出来る。収容ケースの組み立ては、上記のりしろ部として例えば両面粘着テープが貼られてその上が剥離紙で保護されたものの場合では、型抜き裁断された紙葉を折り線から折りのりしろ部の剥離紙を取り去り粘着可能な状態にすれば良い。のりしろ部を固定手段としての縫製によって固定することも出来る。また填め込み部を構成したいのであれば、例えば側壁側に設けた挿入片とこれに対向する前壁側や後壁側の部位に設けた挿入スリットとの組を上記型抜き裁断時に形成すれば良い。この収容ケースはいわば１枚ものであるからコストが極めて安く、上述のようなやり方で誰にでも簡単にセットすることが出来る。なおデザイン面では、底壁を斜めに形成することで目新しいものとなるが、この収容ケースを床に置いた時に自立出来るようにするためには底壁を水平に形成する必要がある。【００１１】  次に後壁または前壁の残りの辺に設けられた前フラップがこの収容ケースの蓋の役割を担っている。これによりこの考案の収容ケースが従来の紙バッグと箱体の中間に位置する新しい構造のものになっている。この点も収容ケースのファッション性を高めるものとなっている。なお前フラップの縁部のデザインは具象形や抽象形など自由である。またこの前フラップを閉じた時に閉じた状態を固定す着脱手段と設けるようにしても良い。着脱手段の好適な一例として、前フラップ側に設けた挿入片と対向する側に設けた挿入スリットとの組や、前フラップ側とこれに対向する側に設けた、雌雄の面ファスナーや吸着関係にあるゴム磁石の組を上げる。再剥離可能なゴム状のシールを利用することも可能である。更にこの着脱手段に両面粘着テープを用いることが出来る。販売店としてはこの考案の���容ケースに販売済み商品を入れた時点で完全にパックしてしまいたいとする場合がある。しかしながら従来の紙バッグがその口を透明粘着テープで止めるのと同じようにこの考案の収容ケースの前フラップを透明粘着テープで止めるのは、デザイン性が高く再利用性の高いこの考案の収容ケースには不向きである。そこで前フラップの裏側に位置するように着脱手段を設けるのである。この着脱の脱時に付いて、両面粘着テープの部位を剥離して粘着テープで接着した跡が残ったとしても、表側からは見ることは出来ないようにすることが出来るのである。この場合この後の再利用では前フラップを固定することは出来ないが問題は少ない。なおこの考案の収容ケースは積極的に再利用され得る性質のものであるから、従来の紙バッグのようなポイ捨ては少なくエコの実践に最適なものとなる。また前フラップや前壁に於いて広い広告面積が得られるのも魅力である。【００１２】  この収容ケースは手で抱えて持つように構成することも、提手や下げ紐などのハンドルを設けて、手や肩で提げられるように構成することも可能である。例えば紙製の提手を前フラップの上部に付けたり、下げ紐を側壁の上部に付けたりするのである。あるいは下げ紐を側フラップの上部に付ける構成も可能である。なお下げ紐の取り付け方であるが側壁の上部に紐通しの孔を開孔しこの孔に紐を通して結んだり、側壁の上部を折り返して環を作って接着しこの環に紐を通して結んだりすれば良い。側フラップの上部に付いても同様である。この接着には上述した両面粘着テープが好適例である。【００１３】  また下げ紐などのハンドルは長さ調節を可能に構成することが出来る。例えば上記紐通しの孔や紐通しの環であれば、両側の紐通しの孔や紐通しの環に通した紐を束ねて提手を握るように持てば手で提げられるし、束ねずに片方の側だけを引き出せば肩掛けバッグのように用いることが可能である。この他、紐の長さ調節手段を紐に取り付けるなどしても良い。【００１４】  なお請求項１の考案の収容ケースの部分または全体が透明素材から構成されているものとすることが出来る。このようにすれば収容した中身をその一部にせよ全部にせよ外から見せることが可能になる。【００１５】  さて上記の課題は請求項２の考案によれば、前壁および後壁と、該前壁と後壁との間の底壁と、該底壁の両側の側フラップと、前記前壁または前記後壁に設けられて他側に固定可能なのりしろ部または填め込み部を備えると共に該のりしろ部または填め込み部に略平行な谷折り線が設けられた側壁と、前記後壁または前記前壁の残りの辺に設けられた前フラップと、から成り、前記底壁の両側の側フラップが前記側壁の内側にあって底壁に折り重ね得るように山折り線が設けられていると共に、前記後壁の前記底壁との境界よりも上方に底壁に略平行な谷折り線が設けられているように構成することにより解決される。【００１６】  例えばいわゆる一発裁断によって得られる型抜きされた紙葉から側壁となる部位を前壁や後壁となる部位にのりしろ部または填め込み部により固定する。のりしろ部とは例えば両面粘着テープを貼りその上を剥離紙で保護した部位のことであり、填め込み部とは例えば側壁側に設けた挿入片とこれに対向する前壁側や後壁側の部位に設けた挿入スリットとの組のことである。こうして固定され形成された前壁と後壁と底壁と側壁とから成る箱体であるが、のりしろ部または填め込み部に略平行な谷折り線が側壁に設けられており且つ後壁の前記底壁との境界よりも上方に底壁に略平行な谷折り線が設けられていることにより、請求項２の考案の収容ケースは上記谷折り線を以て薄く潰すことが出来る。この際に底壁の両側の側フラップは、請求項１の考案の側フラップと同様に側壁の内側に入れるようにするのであるが、請求項２の考案の収容ケースではこれを潰した時にうまく処理出来るように、側フラップは山折り線を付けることによって底壁に折り重ねられることを可能にしている。なお上記のりしろ部または填め込み部により固定される範囲は、後壁の底壁との境界よりも上方に付けた上記谷折り線までである。この収容ケースに於いても、底壁が前壁と後壁とに連続する点を特徴としており、従来のように底壁を折り込んで接着する手間がなく、また底が抜けるというような心配はない。ただ製造の途中で底壁と側壁との間に生ずる隙間は、底壁の両側の側フラップを側壁の内側に入れるだけで簡単に塞ぐことが出来るのも特徴である。このようにして簡単に収容ケースを作ることが出来、組み立て上がったものでも薄く折り畳んで場所を取らずに仕舞っておくことが可能となっている。またこれまでになく斬新なデザインのファッショナブルなものとなっている。【００１７】  上記のりしろ部として例えば両面粘着テープが貼られてその上が剥離紙で保護されたものを上げる。また填め込み部として例えば側壁側に設けた挿入片とこれに対向する前壁側や後壁側の部位に設けた挿入スリットとの組が上記型抜き裁断時に形成されたものを上げる。収容ケースの組み立ては、前者では型抜き裁断された紙葉を折り線から折りのりしろ部の剥離紙を取り去り粘着可能な状態にすれば良い。また後者では側壁側に設けた挿入片をこれに対向する部位に設けた挿入スリットに挿入すれば良い。請求項１の挿入片の場合もそうであるが、挿入片に逆止突起などを設けて、挿入片が不本意には挿入スリットから抜け出さないように構成することが望ましい。この収容ケースはいわば１枚ものであるからコストが極めて安く、上述のようなやり方で誰にでも簡単にセットすることが出来る。なおデザイン面では、請求項１の収納ケースと同様、底壁を斜めに形成することで目新しいものとなるが、この収容ケースを床に置いた時に自立出来るようにするためには底壁を水平に形成する方が良い。【００１８】  後壁または前壁の残りの辺に設けられた前フラップはこの収容ケースの蓋の役割を担っている。これにより請求項２の考案の収容ケースも従来の紙バッグと箱体の中間に位置する新しい構造のファッション性の高いものとなっている。ファッション性と言うことであれば、前フラップの縁部のデザインを具象形や抽象形など自由に出来るのも魅力である。なおこの前フラップを閉じた時に閉じた状態を固定す着脱手段と設けると良い。着脱手段の好適な一例として、前フラップ側に設けた挿入片と対向する側に設けた挿入スリットとの組や、前フラップ側とこれに対向する側に設けた、雌雄の面ファスナーや吸着関係にあるゴム磁石の組や、��剥離可能なゴム状のシールの利用を上げる。更にこの着脱手段に両面粘着テープを用いることが出来る。これは請求項１の収容ケースで述べた通りである。またエコロジカルに再利用され得る性質を有する収容ケースであると言うことが出来る。同様に前フラップや前壁を使って広い広告面積が得られるのも魅力である。【００１９】  次にこの収容ケースに提手や下げ紐などのハンドルを設けて、手や肩で提げられるように構成することが可能である。例えば紙製の提手を前フラップの上部に付けたり、下げ紐を側壁の上部や側フラップの上部に付ける構成が可能である。この下げ紐の取り付け方であるが側壁の上部に紐通しの孔を開孔しこの孔に紐を通して結んだり、側壁の上部を折り返して環を作って接着しこの環に紐を通して結んだりすれば良い。側フラップの上部に付いても同様である。この部位の接着の好適例として上述した両面粘着テープを用いる構成を上げる。なお上記ハンドルがなくとも手で抱えて持つことが出来る。【００２０】  更に下げ紐などのハンドルは長さ調節を可能に構成することが出来る。例えば上記紐通しの孔や紐通しの環であれば、両側の紐通しの孔や紐通しの環に通した紐を束ねて提手を握るように持てば手で提げられるし、束ねずに片方の側だけを引き出せば肩掛けバッグのように用いることが可能である。この他、紐の長さ調節手段を付けるなどしても良い。【００２１】  なお収容した中身をその一部にせよ全部にせよ外から見せることを可能にしたいのであれば、収容ケースの部分または全体を透明素材のもので構成すれば良い。また請求項１の収納ケースと同様、紙製の不透明な収容ケースの一部に窓を開け、この窓を内側から透明フィルムで塞ぐように構成することが可能である。
【考案の効果】
【００２２】  この考案は、型抜き裁断した紙葉から、底壁が前壁と後壁とに連続しており且つ側壁がのりしろ部または填め込み部により前壁と後壁とに接続し、更に前フラップを備えた収容ケースとしたものである。これにより、従来の紙バッグなどと比較して底壁を折り込んで接着する手間が掛からず底が抜けるというような心配がなく、簡単に製造することが出来てコストが安く、ファッショナブルな印象を与え、従来の紙バッグの代わりとして用いることが出来る、と言う効果を奏している。
【図面の簡単な説明】
【００２３】
【図１】  実施例１を組み立てた状態を表す説明図である。
【図２】  展開図で表した説明図である。
【図３】  （Ａ）は提げ紐を短くした状態を表す説明図である。（Ｂ）は提げ紐を長くした状態を表す説明図である。
【図４】  実施例２を展開図で表した説明図である。
【図５】  実施例３を正面視した状態を表す説明図である。
【図６】  実施例４を側面視した状態を表す説明図である。
【図７】  底部の内部の状態を表した説明図である。
【図８】  展開図で表した説明図である。
【考案を実施するための形態】
【００２４】  以下４つの実施例を図面に基づいて説明するが、この考案はこれ等の実施例にのみ限定されるものではない。
【実施例１】
【００２５】  図１乃至図３でこの実施例の紙ケース１を表す。この紙ケース１は土産物の透明袋入り菓子を入れる紙製の箱であって、従来の紙バッグでもなく菓子箱でもない点に特徴を有する。図１によればハンドバッグのようにも見える。図２で示すようにいわゆる一発裁断によって得られる型抜きされた厚紙から組み立てられる。図２で向かって右端は前壁１０であり、その左側に実線で表した折り線を介し底壁１２が設けられており、更に後壁１１、天壁１８、前フラップ１９と繋がっている。【００２６】  この内、図１で前壁１０の上下には側壁１４が形成されており、側壁１４はのりしろ片１５を備えている。両側壁１４の右端部の折り込み片１６が折り返されて両面粘着テープ１０１で側壁１４に接着されており、この折り返し部分は両面粘着テープ１０１がなく接着していない箇所であり、ここが後述する紐通し１７となっている。またのりしろ片１５には両面粘着テープ１００が接着されている。なおこの両面粘着テープ１００の表面には剥離紙が掛けられている。【００２７】  前壁１０と後壁１１とに挟まれ実線で表した折り線を介して繋がっている底壁１２は、この繋がりとはほぼ直交する方向に、両翼を延ばすように側フラップ１３を備えている。この構成はこの紙ケース１に特徴的なものである。【００２８】  そこで図２の型抜きされた厚紙を実線で表す折り線部分で谷折りし、剥離紙を剥がした両面粘着テープ１００を以て、のりしろ片１５を後壁１１の縁部の接着部１０２に接着するのであるが、この際に底壁１２の両翼である側フラップ１３を湾曲させて側壁１４の内側に入れるようにするのである。図中Ｒは側フラップ１３の湾曲部を指す。こうして図１の紙ケース１となる。【００２９】  図３（Ａ）（Ｂ）は前壁１０とその両側の側壁１４を展開して表したものであるが、両側壁１４の折り込み片１６の紐通し１７の部位に提げ紐２が通されて環状を呈している。（Ａ）では環状の提げ紐２を束ねて手で持つように設定している。これを一側の提げ紐を引っ張り、（Ｂ）のように伸ばした方の提げ紐２’で肩から掛けるようにすることが可能である。【００３０】  この紙ケース１はこれまでの説明で明らかなように、図２の型抜き裁断した厚紙から、底壁１２が前壁１０と後壁１１とに連続しており且つ側壁１４がのりしろ部１５によって前壁１０と後壁１１とに接続し、更に底壁１２の側フラップ１３が底の両側の隙間を塞いでいる。この紙ケース１は従来の紙バッグなどと比較して底壁を折り込んで接着する手間が掛からず底が抜けるというような心配が少なく、簡単に製造することが出来てコストが安いと言う特長を有する。
【実施例２】
【００３１】  図４で表した実施例２は、上述した実施例１の構成にほぼ倣っているが、実施例１では側壁１４と後壁１１との接着に際して側壁１４に設けたのりしろ部１５に両面粘着テープ１００を用いているのに対し、実施例２では挿入片１０３と挿入スリット１０４との組みを用いている点に特徴を有する。【００３２】  すなわち側壁１４の縁部の上記接着部１０２の辺りに挿入片１０３が切り込みによって形成されている。挿入片１０３の形状は先端部分にキノコの傘のような逆止突起を有した形状となっている。また側壁１４に設けたのりしろ部１５には上記挿入片１０３が挿入出来るも、その逆止突起のより抜けづらくなるような大きさの挿入スリット１０４が形成されている。従って挿入片１０３を挿入スリット１０４に填め込むだけで、実施例２の紙箱１’が完成する。【００３３】  なお実施例２では側フラップ１３の両端部に紐通し孔１０５が設けられている。上述した側壁１４の紐通し１７ではなく、この紐通し孔１０５にリボンを通すなどして提げ紐とすることが出来る。
【実施例３】
【００３４】  図５で表した実施例３の構成は、上述した実施例１の構成にほぼ倣うものであり、前壁３０と後壁３２との間に図５では表れていない底壁が折り線を介して繋がっており、前壁３０の左右両側に設けた図５では表れていないところの側壁はのりしろ片により後壁３２に固定されており、また後壁３２からは天壁３３が、更に前フラップ３４が延設される。なお図５中、符号３６は底壁から延びる側フラップの先端部の折り込み片を指し、３７は紐通しを指す。【００３５】  実施例３で特徴的な点は、前壁３０の縁部３１が単純な直線や曲線ではなく、中小形状にデザインされている点である。同様に前フラップ３４の縁部３５にもデザインンが施されている。【００３６】  また前フラップ３４に設けた雄の面ファスナー４が前壁３０に設けた雌の面ファスナー４０と接着して、前フラップ３４が閉じた状体を固定しておくことが出来るようになっている。
【実施例４】
【００３７】  図６乃至図８でこの実施例の合成樹脂ケース５を表す。この合成樹脂ケース５は全体が透明なフィルム状体であり、所要の部位のみ印刷でマスキングが施されて（図示せず）、それ以外の部位から内部が透けて見えるものである。また従来の紙バッグの代わりに用いられるが、従来の紙バッグでもなく紙箱でもない点に特徴を有する。図８で示すようにいわゆる一発裁断によって得られる型抜きされたフィルム状体から組み立てられる。【００３８】  この合成樹脂ケース５は、前壁５０および後壁５１とこの間に位置する底壁５２と、この底壁５２の両側の側フラップ５３と、前壁５０に設けられて後壁５１の側に固定可能なのりしろ片５６を備えると共に、こののりしろ片５６に略平行な谷折り線５８が設けられた側壁５５と、後壁５１に延設された天壁５００と更にその先の前フラップ５０１とから成り、底壁５２の両側の側フラップ５３が側壁５５の内側にあって底壁５２に折り重ね得るように山折り線５０４が付けられていると共に、後壁５１の底壁５２との境界線よりも天壁５００寄りに底壁５２に略平行な谷折り線５４が設けられている。【００３９】  そして上記谷折り線５８及び谷折り線５４では谷折りし、それ以外の折り線では山折りして、側壁５５をそののりしろ片５６に設けた両面粘着テープ（図示せず）の粘着力によって後壁５１の接着部５０２に固定することで、図６に示した合成樹脂ケース５を得る。殊に後壁５１の谷折り線５４から底壁５２までの間は遊び片５７として、側壁５５に接着固定されていないため、上記谷折り線５８及び谷折り線５４で折ることにより、この合成樹脂ケース５を平たく潰すことが出来るのである。このことは図６からも明らかである。従って組み立て上がったものでも薄く折り畳んで場所を取らずに仕舞っておくことが可能である。なお前壁５０に貼付した雌の面ファスナー６と前フラップ５０１に貼付した雄の面ファスナー６０とは接着し合うため、前フラップ５０１を閉じた際に不本意には開かないようにすることが出来る。また側壁５５の頂部は折り返されて折り込み片５９として側壁５５に接着しており、この折り返し部の中央部には紐通し孔５０３が開孔されている。図示しない提げ紐はその結び目が折り込み片５９と側壁５５との間に挟まれて固定されており、ここから紐通し孔５０３を介して外に引き出されている。【００４０】  図７はこの合成樹脂ケース５の中を上から覗き込んで底部の内部の状態を見た図であるが、底壁５２の両側の側フラップ５３は山折り線５０４から折られて底壁５２に重ねられておりこの状態で合成樹脂ケース５を平たく潰すことが出来る。この逆に合成樹脂ケース５を立体化する際には側フラップ５３を起こして側壁５５に沿わせるようにすれば良い。なお側フラップ５３に両面粘着テープなどを設けておき、これによって側フラップ５３を側壁５５に接着固定することを可能にしても良い。
【産業上の利用可能性】
【００４１】  この考案の素材としては紙以外にも、例えば薄い人造皮革なども使用可能である。この場合のハンドルには同素材の提手や金属調の鎖の下げ紐など素材にマッチするものを選択すると良い。全体の大きさや形状も任意である。また収容ケースはそれ単体で提供しても良いし、中にぬいぐるみなどの商品を入れて提供しても良く、その用途は自由である。
【符号の説明】
【００４２】  １      紙ケース        １０    前壁            １１    後壁
１２    底壁            １３    側フラップ      １４    側壁
１５    のりしろ片      １６    折り込み片      １７    紐通し
１８    天壁            １９    前フラップ      １００  両面粘着テープ
１０１  両面粘着テーブ  １０２  接着部          １０３  挿入片
１０４  挿入スリット    １０５  紐通し孔
２      提げ紐          ２’    提げ紐
３      紙ケース        ３０    前壁            ３１    縁部
３２    後壁            ３３    天壁            ３４    前フラップ
３５    縁部            ３６    折り込み片      ３７    紐通し
４      面ファスナー    ４０    面ファスナー
５      合成樹脂ケース  ５０    前壁            ５１    後壁
５２    底壁            ５３    側フラップ      ５４    谷折り線
５５    側壁            ５６    のりしろ片      ５７    遊び片
５８    谷折り線        ５９    折り込み片      ５００  天壁
５０１  前フラップ      ５０２  接着部          ５０３  紐通し孔
５０４  山折り線
６      面ファスナー    ６０    面ファスナー
【図１】
0003193952.tif 000003
【図２】
0003193952.tif 000004
【図３】
0003193952.tif 000005
【図４】
0003193952.tif 000006
【図５】
0003193952.tif 000007
【図６】
0003193952.tif 000008
【図７】
0003193952.tif 000009
【図８】
0003193952.tif 000010